(57)【要約】【課題】コストアップの抑制が図られた可能な限り小容量の内部記憶部を用いてユーザの利便性を損なわないように電子番組表を提供できる放送受信装置を提供する。【解決手段】放送受信装置１は受信した電子番組表データを一時的に記憶するＤＲＡＭ６と、電子番組表データを記憶して保存する内部記憶部であるＦＬＡＳＨメモリ７と、電子番組表データを記憶して保存する外部から着脱が可能な外部記憶部である外部ＨＤＤ１３と、受信した電子番組表データをＤＲＡＭ６に記憶させて最新のデータに更新するとともに所定の時点におけるＤＲＡＭ６の電子番組表データをＦＬＡＳＨメモリ７と外部ＨＤＤ１３とに分割して記憶させ保存させるものであって、過日乃至本日のいずれかの時点を起点として数日後までの電子番組表データをＦＬＡＳＨメモリ７に保存させ、その翌日以降の電子番組表データを外部ＨＤＤ１３に保存させる電子番組表制御部５ｃと、を備える。【選択図】図１
2013219644.tif 000002
【特許請求の範囲】
【請求項１】
電子番組表データを含むテレビジョン放送信号を受信する放送受信装置であって、
前記電子番組表データを一時的に記憶する一時記憶部と、
前記電子番組表データを記憶して保存する放送受信装置内部に設けた内部記憶部と、
前記電子番組表データを記憶して保存する放送受信装置外部から着脱が可能な外部記憶部と、
受信した前記電子番組表データを前記一時記憶部に記憶させて最新のデータに更新するとともに所定の時点における前記一時記憶部の前記電子番組表データを前記内部記憶部と前記外部記憶部とに分割して記憶させ保存させるものであって、過日乃至本日のいずれかの時点を起点として数日後までの前記電子番組表データを前記内部記憶部に保存させ、その翌日以降の前記電子番組表データを前記外部記憶部に保存させる電子番組表制御部と、
を備えることを特徴とする放送受信装置。
【請求項２】
前記電子番組表制御部が１日目から３日目までの３日分の前記電子番組表データを前記内部記憶部に保存させ、４日目以降の前記電子番組表データを前記外部記憶部に保存させることを特徴とする請求項１に記載の放送受信装置。
【請求項３】
前記電子番組表制御部が所定の時点における前記電子番組表データを前記内部記憶部と前記外部記憶部とに分割して記憶させ保存させるときにその記憶日時を前記内部記憶部と前記外部記憶部とに記憶させ保存させるとともに、前記内部記憶部と前記外部記憶部とに保存させた前記電子番組表データを再度前記一時記憶部に記憶させるときに前記記憶日時に基づいて前記内部記憶部と前記外部記憶部とが保存している前記電子番組表データが同一時点で記憶した前記電子番組表データであるか否かを判定することを特徴とする請求項１または請求項２に記載の放送受信装置。
【請求項４】
前記電子番組表制御部が所定の時点における前記電子番組表データを前記内部記憶部と前記外部記憶部とに分割して記憶させ保存させるときにその記憶日時と新たに生成した乱数とを前記内部記憶部と前記外部記憶部とに記憶させ保存させるとともに、前記内部記憶部と前記外部記憶部とに保存させた前記電子番組表データを再度前記一時記憶部に記憶させるときに前記記憶日時と前記乱数とに基づいて前記内部記憶部と前記外部記憶部とが保存している前記電子番組表データが同一時点で記憶した前記電子番組表データであるか否かを判定することを特徴とする請求項１または請求項２に記載の放送受信装置。
【請求項５】
前記電子番組表制御部が前記内部記憶部と前記外部記憶部とが保存している前記電子番組表データが同一時点で記憶した前記電子番組表データではあると判定したときに前記外部記憶部が保存している前記電子番組表データを使用し、同一時点で記憶した前記電子番組表データではないと判定したときに前記外部記憶部が保存している前記電子番組表データを破棄することを特徴とする請求項３または請求項４に記載の放送受信装置。
【発明の詳細な説明】
【技術分野】
【０００１】
本発明は、電子番組表データを含むテレビジョン放送信号を受信する放送受信装置に関する。
【背景技術】
【０００２】
近年、テレビジョン放送信号を受信する放送受信装置はテレビジョン放送がデジタル化されたことに伴い、従来の映像や音声に加えてデータ放送や字幕、電子番組表などをユーザに提供できるようになった。特に、電子番組表は番組検索や録画予約にも利用され、ユーザにとって重要な機能と言える。このような電子番組表の機能を有する従来の放送受信装置が特許文献１に記載されている。
【０００３】
特許文献１に記載された従来の放送受信装置は例えば放送信号やネットワークなどといった複数の経路から電子番組表に掲載された番組のコンテンツ情報が取得できる番組コンテンツ取得手段を備えている。これにより、過去に放送された番組が電子番組表から選択された場合でもその番組のコンテンツ情報をユーザに提供できるようになっている。
【先行技術文献】
【特許文献】
【０００４】
【特許文献１】特開２００８−１９９３４５号公報
【発明の概要】
【発明が解決しようとする課題】
【０００５】
しかしながら、特許文献１に記載された従来の放送受信装置は高機能な番組コンテンツ取得手段を備えることで膨大な電子番組表データを抱えることになる可能性がある。これにより、放送受信装置が備える内部記憶部から電子番組表データが溢れ、所望の電子番組表データを保存することができなくなるという問題があった。そして、一般的に内部記憶部として用いられるＦＬＡＳＨメモリは大容量なものが必要となり、放送受信装置の高コスト化が課題となっていた。
【０００６】
本発明は、上記の点に鑑みなされたものであり、コストアップの抑制が図られた可能な限り小容量の内部記憶部を用いてユーザの利便性を損なわないように電子番組表をユーザに提供することが可能な放送受信装置を提供することを目的とする。
【課題を解決するための手段】
【０００７】
上記の課題を解決するため、本発明は、電子番組表データを含むテレビジョン放送信号を受信する放送受信装置であって、前記電子番組表データを一時的に記憶する一時記憶部と、前記電子番組表データを記憶して保存する放送受信装置内部に設けた内部記憶部と、前記電子番組表データを記憶して保存する放送受信装置外部から着脱が可能な外部記憶部と、受信した前記電子番組表データを前記一時記憶部に記憶させて最新のデータに更新するとともに所定の時点における前記一時記憶部の前記電子番組表データを前記内部記憶部と前記外部記憶部とに分割して記憶させ保存させるものであって、過日乃至本日のいずれかの時点を起点として数日後までの前記電子番組表データを前記内部記憶部に保存させ、その翌日以降の前記電子番組表データを前記外部記憶部に保存させる電子番組表制御部と、を備えることを特徴としている。
【０００８】
この構成によれば、放送受信装置は内部記憶部に加えて、外部から着脱が可能な外部記憶部にも電子番組表データを保存する。すなわち、より多くの電子番組表データを保存させたいときでも内部記憶部の大容量化は抑制される。
【０００９】
また、上記構成の放送受信装置において、前記電子番組表制御部が１日目から３日目までの３日分の前記電子番組表データを前記内部記憶部に保存させ、４日目以降の前記電子番組表データを前記外部記憶部に保存させることを特徴としている。
【００１０】
この構成によれば、例えば放送受信装置の電源を投入すると、１日目から３日目までの３日分の電子番組表データが直ちに内部記憶部から読み出される。したがって、１日目から３日目までの３日分の電子番組表データがユーザに対して即座に提供される。また、外部記憶部が接続されていない状態の認識はユーザにとって容易であるので、電源投入時に４日目以降の電子番組表データが画面に表示されなくても、そのことが外部記憶部の未接続に起因することを把握し易い。
【００１１】
また、上記構成の放送受信装置において、前記電子番組表制御部が所定の時点における前記電子番組表データを前記内部記憶部と前記外部記憶部とに分割して記憶させ保存させるときにその記憶日時を前記内部記憶部と前記外部記憶部とに記憶させ保存させるとともに、前記内部記憶部と前記外部記憶部とに保存させた前記電子番組表データを再度前記一時記憶部に記憶させるときに前記記憶日時に基づいて前記内部記憶部と前記外部記憶部とが保存している前記電子番組表データが同一時点で記憶した前記電子番組表データであるか否かを判定することを特徴としている。
【００１２】
この構成によれば、内部記憶部と外部記憶部とが保存している電子番組表データが同一時点で記憶した電子番組表データであるか否かの判定が正確になる。したがって、内部記憶部と外部記憶部との各々が保存している電子番組表データの整合性が明確になる。
【００１３】
また、上記構成の放送受信装置において、前記電子番組表制御部が所定の時点における前記電子番組表データを前記内部記憶部と前記外部記憶部とに分割して記憶させ保存させるときにその記憶日時と新たに生成した乱数とを前記内部記憶部と前記外部記憶部とに記憶させ保存させるとともに、前記内部記憶部と前記外部記憶部とに保存させた前記電子番組表データを再度前記一時記憶部に記憶させるときに前記記憶日時と前記乱数とに基づいて前記内部記憶部と前記外部記憶部とが保存している前記電子番組表データが同一時点で記憶した前記電子番組表データであるか否かを判定することを特徴としている。
【００１４】
この構成によれば、内部記憶部と外部記憶部とが保存している電子番組表データが同一時点で記憶した電子番組表データであるか否かの判定がより一層正確になる。したがって、内部記憶部と外部記憶部との各々が保存している電子番組表データの整合性がより一層明確になる。
【００１５】
また、上記構成の放送受信装置において、前記電子番組表制御部が前記内部記憶部と前記外部記憶部とが保存している前記電子番組表データが同一時点で記憶した前記電子番組表データではあると判定したときに前記外部記憶部が保存している前記電子番組表データを使用し、同一時点で記憶した前記電子番組表データではないと判定したときに前記外部記憶部が保存している前記電子番組表データを破棄することを特徴としている。
【００１６】
この構成によれば、内部記憶部と外部記憶部とが保存している電子番組表データが同一時点で記憶した電子番組表データであるとき、すべての電子番組表がユーザに提供される。同一時点で記憶した電子番組表データではないとき、内部記憶部に保存させた電子番組表がユーザに提供される。
【発明の効果】
【００１７】
本発明の構成によれば、放送受信装置は内部記憶部と、外部から着脱が可能な外部記憶部とに電子番組表データを保存するので、より多くの電子番組表データを保存させたいときでも内部記憶部の大容量化を抑制することができる。したがって、コストアップの抑制が図られた可能な限り小容量の内部記憶部を用いてユーザの利便性を損なわないように電子番組表をユーザに提供することが可能な放送受信装置を提供することができる。
【図面の簡単な説明】
【００１８】
【図１】本発明の第１実施形態の放送受信装置を示す概略構成図である。
【図２】本発明の第１実施形態の放送受信装置の構成を示すブロック図である。
【図３】本発明の第１実施形態の放送受信装置で取り扱う電子番組表の一例である。
【図４】本発明の第１実施形態の放送受信装置の電子番組表データの記憶方法を示すフローチャートである。
【図５】本発明の第２実施形態の放送受信装置の電子番組表データの記憶方法を示すフローチャートである。
【図６】本発明の第２実施形態の放送受信装置の電子番組表データの照合方法を示すフローチャートである。
【図７】本発明の第３実施形態の放送受信装置の電子番組表データの記憶方法を示すフローチャートである。
【図８】本発明の第３実施形態の放送受信装置の電子番組表データの照合方法を示すフローチャートである。
【発明を実施するための形態】
【００１９】
以下、本発明の実施形態を図１〜図８に基づき説明する。
【００２０】
最初に、本発明の第１実施形態の放送受信装置について、図１〜図３を用いてその構成を説明する。図１は放送受信装置を示す概略構成図、図２は放送受信装置の構成を示すブロック図、図３は放送受信装置で取り扱う電子番組表の一例である。
【００２１】
放送受信装置１は、図１に示すようにメイン基板２とこのメイン基板２に搭載された受信モジュール３とを備えている。放送受信装置１は受信モジュール３を交換することで異なる地域、異なる方式のテレビジョン放送信号の受信にも対応することができる。これにより、放送受信装置１は汎用性が高められ、構成部品の共通化を図ることが可能である。
【００２２】
受信モジュール３はテレビジョンのデジタル放送信号を受信するための基幹機能としてのチューナ回路部４、デジタル放送受信ＩＣ（Integrated Circuit）５、一時記憶部であるＤＲＡＭ（Dynamic Random Access Memory）６及び内部記憶部であるＦＬＡＳＨメモリ７を備えている。メイン基板２は受信モジュール３が有する機能以外の汎用的な機能としてのＲＦ（Radio Frequency）信号コネクタ８ａ、入出力制御部９、映像音声出力回路１０、メイン制御部１１及び電源部１２を備えている。
【００２３】
ＲＦ信号コネクタ８ａにはテレビジョン放送で用いられている帯域のＲＦ信号（高周波テレビジョン放送信号）が入力される。チューナ回路部４はＲＦ信号コネクタ８ａから入力されたＲＦ信号を受信してそのＲＦ信号をＭＰＥＧ−ＴＳ信号に変換する。デジタル放送受信ＩＣ５はＭＰＥＧ−ＴＳ信号を解析してそのＭＰＥＧ−ＴＳ信号に対してデジタル放送受信処理を施し、ユーザが所望する映像と音声とに変換する。
【００２４】
デジタル放送受信ＩＣ５はテレビジョン放送信号に含まれる電子番組表データの取得処理を実行することもできる。デジタル放送受信ＩＣ５が取得した電子番組表データは映像音声出力回路１０を介して不図示のディスプレイ装置に出力される。そして、例えば図３に示すような電子番組表Ｇをディスプレイ装置に表示させてユーザに提供することが可能である。電子番組表Ｇは例えば横方向に並べられた放送局Ａ〜Ｄごとに各番組（例えばＡＡＡ１、ＣＣＣ２、ＥＥＥ３など）が時系列に沿って縦方向に並べられた構成をなしている。
【００２５】
また、放送受信装置１は外部から着脱が可能な外部記憶部である外部ＨＤＤ（Hard disk drive）１３（不揮発性メモリ）を備えている。外部ＨＤＤ１３には例えば受信したテレビジョン放送信号に係る映像及び音声や電子番組表データなどを記憶させることができる。一方、放送受信装置１の内部に設けられた内部記憶部であるＦＬＡＳＨメモリ７（不揮発性メモリ）には例えばユーザがメニュー等で設定した設定データや電子番組表データなどを記憶させることができる。
【００２６】
続いて、放送受信装置１における信号処理について、図２を中心にさらに詳しく説明する。図２に示すように、メイン基板２は受信モジュール３に加えて、ＲＦ信号コネクタ８ａを有するアンテナ入力部８と、外部ＨＤＤ１３が外部から着脱可能に接続される外部ＨＤＤ端子部１３ａとを備えている。受信モジュール３はチューナ回路部４が擁するチューナ制御部４ａと、デジタル放送受信ＩＣ５が擁するデジタル放送受信制御部５ａ、映像音声制御部５ｂ、電子番組表制御部５ｃ及び外部ＨＤＤ制御部５ｄと、ＦＬＡＳＨメモリ７とを備えている。
【００２７】
ＲＦ信号コネクタ８ａを介してアンテナ入力部８に入力されたＲＦ信号はチューナ制御部４ａに送信されてチューナ制御部４ａにてＭＰＥＧ−ＴＳ信号に変換される。デジタル放送受信制御部５ａはチューナ制御部４ａからＭＰＥＧ−ＴＳ信号を受信してそのＭＰＥＧ−ＴＳ信号を映像音声制御部５ｂに送信する。映像音声制御部５ｂはＭＰＥＧ−ＴＳ信号に対して所定の処理を施して映像信号と音声信号とを生成する。
【００２８】
一方、デジタル放送受信制御部５ａは電子番組表データを電子番組表制御部５ｃに送信する。電子番組表制御部５ｃは電子番組表データの解析やディスプレイ装置に表示させてユーザに提供するための電子番組表Ｇ（例えば図３参照）の生成等を実行する。電子番組表制御部５ｃは電子番組表データを必要に応じてＦＬＡＳＨメモリ７や、外部ＨＤＤ制御部５ｄ及び外部ＨＤＤ端子部１３ａを介して外部ＨＤＤ１３に記憶させ保存させる。なお、電子番組表データは一時的にＤＲＡＭ６（図１参照）に記憶される。
【００２９】
続いて、電子番組表制御部５ｃにおいて実行される処理について詳細に説明する。電子番組表制御部５ｃはＲＦ信号から常時電子番組表データを取得することで最新の電子番組表データをＤＲＡＭ６に記憶させて更新している。ＤＲＡＭ６は揮発性メモリであるので、ＤＲＡＭ６に記憶されたデータは放送受信装置１の電源を切断することにより消失する。このため、電子番組表制御部５ｃは定期的に不揮発性メモリであるＦＬＡＳＨメモリ７に電子番組表データを記憶させて保存する。これにより、次回電源を投入したときにユーザが直ちに電子番組表Ｇを見ることができる。
【００３０】
これを実現するために最も容易な方法としてはすべての電子番組表データを記憶可能な容量を有するＦＬＡＳＨメモリ７を受信モジュール３に搭載することが考えられる。しかしながら、ＦＬＡＳＨメモリ７の容量を増加すればするほど放送受信装置１が高コスト化するという問題が生じる。
【００３１】
そこで、コストアップの抑制が図られた可能な限り小容量のＦＬＡＳＨメモリ７を受信モジュール３に搭載して運用することが好適である。しかしながら、このような構成ではすべての電子番組表データを記憶、保存できないので、次回電源を投入したときに電子番組表Ｇにすべての番組情報が掲載されていない状態となる虞がある。
【００３２】
そこで、本発明の実施形態では電子番組表制御部５ｃが所定の時点における電子番組表データをＦＬＡＳＨメモリ７と外部ＨＤＤ１３とに分割して記憶させる。詳しく言えば、電子番組表制御部５ｃは過日乃至本日のいずれかの時点を起点として数日後までの電子番組表データをＦＬＡＳＨメモリ７に記憶させ、その翌日以降の電子番組表データを外部ＨＤＤ１３に記憶させる。さらに詳しく言えば、電子番組表制御部５ｃは例えば本日（１日目）から２日後（３日目）までの３日分の電子番組表データをＦＬＡＳＨメモリ７に記憶させ、３日後（４日目）以降の電子番組表データを外部ＨＤＤ１３に記憶させる。
【００３３】
ここで、日本の地上デジタル放送及び衛星放送によれば、電子番組表データには番組名、番組内容、開始時間、終了時間などの情報が含まれ、一番組あたりのデータ容量が少なくとも３００バイト程度になっている。例えば、放送局が２００局存在して１日あたり最大９６番組が放送される場合、１日分の電子番組表データは約５．５Ｍバイトの容量となる。これにより、例えば１６ＭバイトのＦＬＡＳＨメモリ７には約３日分の電子番組表データを記憶させることができる。
【００３４】
そして、ユーザの利便性を考慮すると、本日から明後日までの３日分の電子番組表データは閲覧頻度が高い可能性があると考えられる。これにより、可能な限り小容量のＦＬＡＳＨメモリ７を用いて、３日分の電子番組表データをＦＬＡＳＨメモリ７に記憶させることが望ましい。なお、一般的な電子番組表データは各番組のデータを日単位で管理しているので、上記のように日単位で記憶先を区分したり、各記憶先から読み出したりすることが容易である。
【００３５】
次に、放送受信装置１の電子番組表データの記憶方法について、図４に示すフローに沿って説明する。図４は放送受信装置１の電子番組表データの記憶方法を示すフローチャートである。なお、図４を含む以下の説明で用いるフローチャートにおいては、電子番組表データのことを単に「データ」と記載している箇所がある。
【００３６】
放送受信装置１を作動させると（図４のスタート）、電子番組表制御部５ｃはＲＦ信号から電子番組表データの取得を開始する（図４のステップ＃１０１）。続いて、電子番組表制御部５ｃは取得した電子番組表データを番組の開始日ごとにＤＲＡＭ６に記憶させる（ステップ＃１０２）。なお、電子番組表制御部５ｃは常時電子番組表データを取得することで最新の電子番組表データをＤＲＡＭ６に記憶させて更新している。
【００３７】
そして、電子番組表制御部５ｃは予め定められたタイミングでＤＲＡＭ６上の電子番組表データを不揮発性メモリに記憶させるか否かを判定する（ステップ＃１０３）。ＤＲＡＭ６上の電子番組表データを不揮発性メモリに記憶させない場合（ステップ＃１０３のＮｏ）、ステップ＃１０２に戻って、電子番組表制御部５ｃは引き続きＲＦ信号から取得した電子番組表データをＤＲＡＭ６に記憶させる。
【００３８】
ＤＲＡＭ６上の電子番組表データを不揮発性メモリに記憶させる場合（ステップ＃１０３のＹｅｓ）、電子番組表制御部５ｃは本日（１日目）の電子番組表データから順に日ごとの電子番組表データをＤＲＡＭ６から読み出す（ステップ＃１０４）。
【００３９】
続いて、電子番組表制御部５ｃはＤＲＡＭ６から読み出した電子番組表データが本日（１日目）から２日後（３日目）までの３日分の電子番組表データであるか否かを判定する（ステップ＃１０５）。
【００４０】
ＤＲＡＭ６から読み出した電子番組表データが本日から２日後までの３日分の電子番組表データである場合（ステップ＃１０５のＹｅｓ）、電子番組表制御部５ｃはその電子番組表データをＦＬＡＳＨメモリ７に記憶させる（ステップ＃１０６）。一方、ＤＲＡＭ６から読み出した電子番組表データが本日から２日後までの電子番組表データではない場合（ステップ＃１０５のＮｏ）、電子番組表制御部５ｃはその電子番組表データを外部ＨＤＤ１３に記憶させる（ステップ＃１０７）。
【００４１】
続いて、電子番組表制御部５ｃはＤＲＡＭ６上のすべての電子番組表データを不揮発性メモリであるＦＬＡＳＨメモリ７或いは外部ＨＤＤ１３に記憶させたか否かを判定する（ステップ＃１０８）。
【００４２】
ＤＲＡＭ６上のすべての電子番組表データをＦＬＡＳＨメモリ７或いは外部ＨＤＤ１３に記憶させていない場合（ステップ＃１０８のＮｏ）、ステップ＃１０４に戻って、電子番組表制御部５ｃは引き続きＤＲＡＭ６上の電子番組表データをＦＬＡＳＨメモリ７或いは外部ＨＤＤ１３に記憶させる。一方、ＤＲＡＭ６上のすべての電子番組表データをＦＬＡＳＨメモリ７或いは外部ＨＤＤ１３に記憶させた場合（ステップ＃１０８のＹｅｓ）、ステップ＃１０２に戻って、電子番組表制御部５ｃはＲＦ信号から取得した電子番組表データをＤＲＡＭ６に記憶させる。
【００４３】
上記のように、放送受信装置１の電子番組表制御部５ｃは所定の時点におけるＤＲＡＭ６の電子番組表データをＦＬＡＳＨメモリ７と外部ＨＤＤ１３とに分割して記憶させ保存させる。そして、電子番組表制御部５ｃは例えば本日を起点として数日後までの電子番組表データをＦＬＡＳＨメモリ７に保存させ、その翌日以降の電子番組表データを外部ＨＤＤ１３に保存させる。したがって、より多くの電子番組表データを保存させたいときでもＦＬＡＳＨメモリ７の大容量化を抑制することができる。
【００４４】
さらに詳しく言えば、電子番組表制御部５ｃは例えば本日（１日目）から２日後（３日目）までの３日分の電子番組表データをＦＬＡＳＨメモリ７に保存させ、３日後（４日目）以降の電子番組表データを外部ＨＤＤ１３に保存させる。これにより、外部ＨＤＤ１３が接続されていない状態で放送受信装置１の電源を投入すると、本日から２日後までの３日分の電子番組表データはＦＬＡＳＨメモリ７から読み出すことができる。したがって、本日から２日後までの３日分の電子番組表データをユーザに対して即座に提供することが可能である。なおこの状態では、例えば図３において本日が１月１日である場合、１月４日以降の電子番組表データが存在しないことになる。
【００４５】
また、外部ＨＤＤ１３が接続されていない状態の認識はユーザにとって容易であるので、電源投入時に３日後以降の電子番組表データが画面に表示されなくても、そのことが外部ＨＤＤ１３の未接続に起因することを直ちに把握することができる。したがって、放送受信装置１に不具合が発生したと誤解されることを防止することが可能である。
【００４６】
一方、電子番組表データを可能な限り無作為にＦＬＡＳＨメモリに記憶させて記憶できない分を外部ＨＤＤに記憶させる他の構成の場合、電源投入時に一部の電子番組表データが画面に表示されないことに対して放送受信装置１に不具合が発生したと誤解される虞がある。
【００４７】
また、電子番組表データを分割する方法として、上記のように日単位で行う方法のほか、放送局単位で行う方法も考えられる。この場合、例えば図３において放送局Ｄの電子番組表データが存在しないことになる。
【００４８】
一般的に、現在時刻に近い電子番組表データがユーザにとって有益な情報となることが多い。これにより、例えば図３において放送局Ｄの電子番組表データが存在しないことよりも、図３において１月４日以降の電子番組表データが存在しないことのほうがユーザにとっての不利益は減少する傾向にある。
【００４９】
次に、本発明の第２実施形態の放送受信装置について、図５及び図６を用いて説明する。図５は放送受信装置の電子番組表データの記憶方法を示すフローチャート、図６は放送受信装置の電子番組表データの照合方法を示すフローチャートである。なお、この実施形態の基本的な構成は図１〜図４を用いて説明した前記第１実施形態と同じであるので、第１実施形態と共通する構成要素には前と同じ符号を付すとともに図面の記載及びその説明を省略するものとする。
【００５０】
ここで、ＤＲＡＭ６の電子番組表データをＦＬＡＳＨメモリ７と外部ＨＤＤ１３とに分割して記憶させ保存させる場合、次回放送受信装置１の電源を投入するときに電子番組表データを各保存先から読み出す際、同一時点の電子番組表データであるか否かの判定は電子番組表データを読み出すうえで非常に重要である。
【００５１】
このため、第２実施形態の放送受信装置１は、電子番組表制御部５ｃが所定の時点におけるＤＲＡＭ６の電子番組表データをＦＬＡＳＨメモリ７と外部ＨＤＤ１３とに分割して記憶させ保存させるときにその記憶日時をＦＬＡＳＨメモリ７と外部ＨＤＤ１３とに記憶させて保存させる。そして、ＦＬＡＳＨメモリ７と外部ＨＤＤ１３とに保存させた電子番組表データを読み出して再度ＤＲＡＭ６に記憶させるときに、その記憶日時に基づいてＦＬＡＳＨメモリ７と外部ＨＤＤ１３とが保存している電子番組表データが同一時点で記憶した電子番組表データであるか否かを判定する。
【００５２】
そして、電子番組表制御部５ｃはＦＬＡＳＨメモリ７と外部ＨＤＤ１３とが保存している電子番組表データが同一時点で記憶した電子番組表データではあると判定したときに外部ＨＤＤ１３が記憶している電子番組表データを使用する。一方、電子番組表制御部５ｃはＦＬＡＳＨメモリ７と外部ＨＤＤ１３とが保存している電子番組表データが同一時点で記憶した電子番組表データではないと判定したときに外部ＨＤＤ１３が記憶している電子番組表データを破棄する。外部ＨＤＤ１３が記憶している電子番組表データを破棄した場合、電子番組表制御部５ｃはＦＬＡＳＨメモリ７に保存させた例えば３日分の電子番組表データをユーザに提供する。
【００５３】
このような放送受信装置１の電子番組表データの記憶方法及び照合方法について、図５及び図６に示すフローに沿って説明する。
【００５４】
放送受信装置１の電子番組表データの記憶方法に関して、放送受信装置１を作動させると（図５のスタート）、電子番組表制御部５ｃはＲＦ信号から電子番組表データの取得を開始する（図５のステップ＃２０１）。なお、以下ステップ＃２０８までのフローは、第１実施形態で説明した図４のステップ＃１０１〜＃１０８までのフローと同じであるので、ここでは詳細な説明を省略する。図５のステップ＃２０８までのフローにおいて、ＤＲＡＭ６から読み出した本日（１日目）から２日後（３日目）までの電子番組表データをＦＬＡＳＨメモリ７に記憶させ、３日後（４日目）以降の電子番組表データを外部ＨＤＤ１３に記憶させたものとする。
【００５５】
ＤＲＡＭ６上のすべての電子番組表データをＦＬＡＳＨメモリ７或いは外部ＨＤＤ１３に記憶させると（ステップ＃２０８のＹｅｓ）、電子番組表制御部５ｃは図示しない計時部から現在日時を記憶日時として取得してＦＬＡＳＨメモリ７、外部ＨＤＤ１３各々に記憶させ保存させる（ステップ＃２０９）。そして、ステップ＃２０２に戻って、電子番組表制御部５ｃはＲＦ信号から取得した電子番組表データをＤＲＡＭ６に記憶させる。
【００５６】
続いて、放送受信装置１の電子番組表データの照合方法に関して、放送受信装置１の稼働中（図６のスタート）、電子番組表制御部５ｃは必要に応じてＤＲＡＭ６に対してＦＬＡＳＨメモリ７及び外部ＨＤＤ１３からの電子番組表データの読み出しを開始する（図６のステップ＃３０１）。このとき、電子番組表制御部５ｃはＦＬＡＳＨメモリ７及び外部ＨＤＤ１３から電子番組表データの記憶日時を読み出す（ステップ＃３０２）。さらに、電子番組表制御部５ｃは１日目から３日目までの電子番組表データをＦＬＡＳＨメモリ７から読み出してＤＲＡＭ６に記憶させる（ステップ＃３０３）。
【００５７】
そして、電子番組表制御部５ｃはＦＬＡＳＨメモリ７が記憶している記憶日時と、外部ＨＤＤ１３が記憶している記憶日時とが同一であるか否かを判定する（ステップ＃３０４）。
【００５８】
ＦＬＡＳＨメモリ７と外部ＨＤＤ１３との各々が記憶している記憶日時が同一である場合（ステップ＃３０４のＹｅｓ）、電子番組表制御部５ｃは４日目以降の電子番組表データを外部ＨＤＤ１３から読み出してＤＲＡＭ６に記憶させ、１日目から３日目までの電子番組表データと結合させる（ステップ＃３０５）。一方、ＦＬＡＳＨメモリ７と外部ＨＤＤ１３との各々が記憶している記憶日時が同一ではない場合（ステップ＃３０４のＮｏ）、電子番組表制御部５ｃは外部ＨＤＤ１３が記憶している４日目以降の電子番組表データの破棄処理を実行する（ステップ＃３０６）。このとき、電子番組表制御部５ｃは例えば外部ＨＤＤ１３の４日目以降の電子番組表データを削除したり、その電子番組表データの記憶領域に対して上書き可能な状態に設定したりする。
【００５９】
そして、電子番組表制御部５ｃはＦＬＡＳＨメモリ７及び外部ＨＤＤ１３からＤＲＡＭ６への電子番組表データの読み出しを終了する（ステップ＃３０７）。以上で、電子番組表データの照合が完了する（図６のエンド）。
【００６０】
このようにして、放送受信装置１の電子番組表制御部５ｃは電子番組表データをＦＬＡＳＨメモリ７と外部ＨＤＤ１３とに分割して保存させるときに各々に記憶させた記憶日時に基づいて各々が記憶している電子番組表データが同一時点で記憶した電子番組表データであるか否かを判定する。これにより、ＦＬＡＳＨメモリ７と外部ＨＤＤ１３とに分割して保存させた電子番組表データが同一時点で記憶した電子番組表データであるか否かを正確に判定することができる。したがって、ＦＬＡＳＨメモリ７と外部ＨＤＤ１３との各々が記憶している電子番組表データについて明確に整合性をとることが可能になる。
【００６１】
次に、本発明の第３実施形態の放送受信装置について、図７及び図８を用いて説明する。図７は放送受信装置の電子番組表データの記憶方法を示すフローチャート、図８は放送受信装置の電子番組表データの照合方法を示すフローチャートである。なお、この実施形態の基本的な構成は先に説明した第１及び第２実施形態と同じであるので、第１及び第２実施形態と共通する構成要素には前と同じ符号を付すとともに図面の記載及びその説明を省略するものとする。
【００６２】
ここで、前記第２実施形態のように記憶日時に基づいてＦＬＡＳＨメモリ７と外部ＨＤＤ１３とに分割して記憶させ保存させた電子番組表データが同一時点で記憶した電子番組表データであるか否かを判定する場合、記憶日時の精度に関して不具合が生じることがある。例えば、判定に使用する記憶日時の精度が分単位であって１分以内にデータを２回記憶させた場合、同一時点で記憶した電子番組表データであるか否かの判定を誤って異なる時点で記憶した電子番組表データを使用してしまう可能性がある。
【００６３】
このため、第３実施形態の放送受信装置１は、電子番組表制御部５ｃが所定の時点におけるＤＲＡＭ６の電子番組表データをＦＬＡＳＨメモリ７と外部ＨＤＤ１３とに分割して記憶させ保存させるときに新たに乱数を生成し、記憶日時に加えてその乱数をＦＬＡＳＨメモリ７と外部ＨＤＤ１３とに記憶させて保存させる。そして、ＦＬＡＳＨメモリ７と外部ＨＤＤ１３とに保存させた電子番組表データを読み出して再度ＤＲＡＭ６に記憶させるときに、その記憶日時と乱数とに基づいてＦＬＡＳＨメモリ７と外部ＨＤＤ１３とが保存している電子番組表データが同一時点で記憶した電子番組表データであるか否かを判定する。
【００６４】
このような放送受信装置１の電子番組表データの記憶方法及び照合方法について、図７及び図８に示すフローに沿って説明する。
【００６５】
放送受信装置１の電子番組表データの記憶方法に関して、放送受信装置１を作動させると（図７のスタート）、電子番組表制御部５ｃはＲＦ信号から電子番組表データの取得を開始する（図７のステップ＃４０１）。なお、以下ステップ＃４０８までのフローは、第２実施形態で説明した図５のステップ＃２０１〜＃２０８までのフローと同じであるので、ここでは詳細な説明を省略する。図７のステップ＃４０８までのフローにおいて、ＤＲＡＭ６から読み出した本日（１日目）から２日後（３日目）までの電子番組表データをＦＬＡＳＨメモリ７に記憶させ、３日後（４日目）以降の電子番組表データを外部ＨＤＤ１３に記憶させたものとする。
【００６６】
ＤＲＡＭ６上のすべての電子番組表データをＦＬＡＳＨメモリ７或いは外部ＨＤＤ１３に記憶させると（ステップ＃４０８のＹｅｓ）、電子番組表制御部５ｃは図示しない計時部から現在日時を記憶日時として取得し、さらに新たに乱数を生成してこれらをＦＬＡＳＨメモリ７、外部ＨＤＤ１３各々に記憶させ保存させる（ステップ＃４０９）。そして、ステップ＃４０２に戻って、電子番組表制御部５ｃはＲＦ信号から取得した電子番組表データをＤＲＡＭ６に記憶させる。
【００６７】
続いて、放送受信装置１の電子番組表データの照合方法に関して、放送受信装置１の稼働中（図８のスタート）、電子番組表制御部５ｃは必要に応じてＤＲＡＭ６に対してＦＬＡＳＨメモリ７及び外部ＨＤＤ１３からの電子番組表データの読み出しを開始する（図８のステップ＃５０１）。このとき、電子番組表制御部５ｃはＦＬＡＳＨメモリ７及び外部ＨＤＤ１３から電子番組表データの記憶日時と、この記憶日時とともに記憶された乱数とを読み出す（ステップ＃５０２）。さらに、電子番組表制御部５ｃは１日目から３日目までの電子番組表データをＦＬＡＳＨメモリ７から読み出してＤＲＡＭ６に記憶させる（ステップ＃５０３）。
【００６８】
そして、電子番組表制御部５ｃはＦＬＡＳＨメモリ７が記憶している記憶日時及び乱数と、外部ＨＤＤ１３が記憶している記憶日時及び乱数とが同一であるか否かを判定する（ステップ＃５０４）。
【００６９】
ＦＬＡＳＨメモリ７と外部ＨＤＤ１３との各々が記憶している記憶日時及び乱数が同一である場合（ステップ＃５０４のＹｅｓ）、電子番組表制御部５ｃは４日目以降の電子番組表データを外部ＨＤＤ１３から読み出してＤＲＡＭ６に記憶させ、１日目から３日目までの電子番組表データと結合させる（ステップ＃５０５）。一方、ＦＬＡＳＨメモリ７と外部ＨＤＤ１３との各々が記憶している記憶日時または乱数が同一ではない場合（ステップ＃５０４のＮｏ）、電子番組表制御部５ｃは外部ＨＤＤ１３が記憶している４日目以降の電子番組表データの破棄処理を実行する（ステップ＃５０６）。このとき、電子番組表制御部５ｃは例えば外部ＨＤＤ１３の４日目以降の電子番組表データを削除したり、その電子番組表データの記憶領域に対して上書き可能な状態に設定したりする。
【００７０】
そして、電子番組表制御部５ｃはＦＬＡＳＨメモリ７及び外部ＨＤＤ１３からＤＲＡＭ６への電子番組表データの読み出しを終了する（ステップ＃５０７）。以上で、電子番組表データの照合が完了する（図８のエンド）。
【００７１】
このようにして、放送受信装置１の電子番組表制御部５ｃは電子番組表データをＦＬＡＳＨメモリ７と外部ＨＤＤ１３とに分割して保存させるときに各々に記憶させた記憶日時と乱数とに基づいて各々が記憶している電子番組表データが同一時点で記憶した電子番組表データであるか否かを判定する。これにより、ＦＬＡＳＨメモリ７と外部ＨＤＤ１３とに分割して保存させた電子番組表データが同一時点で記憶した電子番組表データであるか否かをより一層正確に判定することができる。したがって、ＦＬＡＳＨメモリ７と外部ＨＤＤ１３との各々が記憶している電子番組表データについてより一層明確に整合性をとることが可能になる。
【００７２】
以上、本発明の実施形態につき説明したが、本発明の範囲はこれに限定されるものではなく、発明の主旨を逸脱しない範囲で種々の変更を加えて実施することができる。
【００７３】
例えば、上記実施形態では、内部記憶部であるＦＬＡＳＨメモリ７に３日分の電子番組表データを記憶させることとしたが、３日分に限定されるわけでなく２日分、或いは４日分以上であっても良い。また、上記実施形態では、内部記憶部と外部記憶部とに分割して保存させるときの起点となる時点を本日としたが、本日に限定されるわけではなく過日であっても良い。
【００７４】
また、内部記憶部としてはＦＬＡＳＨメモリに限定されるわけではなく、他の記憶装置を用いても良い。同様に、外部記憶部としてはＨＤＤに限定されるわけではなく、他の記憶装置を用いても良い。
【産業上の利用可能性】
【００７５】
本発明は、電子番組表データを含むテレビジョン放送信号を受信する放送受信装置において利用可能である。
【符号の説明】
【００７６】
１    放送受信装置
２    メイン基板
３    受信モジュール
４    チューナ回路部
５    デジタル放送受信ＩＣ
５ｃ    電子番組表制御部
６    ＤＲＡＭ（一時記憶部）
７    ＦＬＡＳＨメモリ（内部記憶部）
１３  外部ＨＤＤ（外部記憶部）
【図１】
2013219644.tif 000003
【図２】
2013219644.tif 000004
【図３】
2013219644.tif 000005
【図４】
2013219644.tif 000006
【図５】
2013219644.tif 000007
【図６】
2013219644.tif 000008
【図７】
2013219644.tif 000009
【図８】
2013219644.tif 000010